(57)【特許請求の範囲】
【請求項１】
支持体に固定された敷板（１）と、装置を確実かつ選択的に係合させるための２つの固定用つめ（３）とを備えた機器であって、
前記２つの固定用つめ（３）が、第１及び第２の位置の間を移動可能であり、
前記２つの固定用つめ（３）が、前記第２の位置に向かうばね荷重を受けていて該第２の位置にあって前記装置を係合しており、
２つの押しボタン（５）が備えられており、
前記２つの押しボタン（５）の各々が、ばね（１０）に取り付けられた円形断面を有する円筒状のペグであって少なくとも２つの異なった半径（ｄ１、ｄ３）を有しており、該２つの押しボタン（５）の各々の母線が前記敷板（１）の面に垂直であり、
前記２つの押しボタン（５）の各々が、前記２つの固定用つめ（３）の両方を前記第１の位置に固定するように、前記ばね（１０）によって強制されており、
前記２つの押しボタン（５）の各々が、前記２つの固定用つめ（３）の両方が前記第２の位置に移動して前記装置を係合するように該２つの固定用つめ（３）の両方の固定を解除するために、前記ばね（１０）の力に逆らって移動可能である
ことを特徴とする前記装置を前記支持体に固定するための機器。
【請求項２】
２つの固定用つめ（３）が、ばね（９）に取り付けられた２つの連結部によって互いに接続された２つの中間部品（７）の内の１つにそれぞれ固定されていることを特徴とする請求項１に記載の機器。
【請求項３】
水平方向及び横方向において所定の位置に、装置を中心出しして保持することを可能にする手段（２、６）を備えていることを特徴とする請求項２に記載の機器。
【請求項４】
第１のグリップ（１７）が固定されている第３の連結部（１６）と、前記敷板（１）に固定されている第２のグリップ（１８）とを備えていることを特徴とする請求項１から３のいずれか１項に記載の機器。
【発明の詳細な説明】
【０００１】
【産業上の利用分野】
本発明は、特に三脚のような支持体の上にカメラを容易に固定するように、あらゆる支持体の上にあらゆる装置を固定する機器に関する。
【０００２】
【発明が解決しようとする課題】
プロのカメラマンは肩に置いたカメラを操作したり、三脚または他の支持体に敏速に容易にカメラを設置する必要がある。固定装置は落下した場合でも複雑で壊れやすく高価なカメラに与える損傷の危険性に対し全体として信頼性を有する必要がある。
【０００３】
周知のカメラマウントは、一般に一方は前方にあり他方は後方にある二つのアタッチメントを使用しており、その配置は必要に応じ肩掛けショットを行なうカメラマンが楽であるように平らの面をカメラの中央に置くようにされている。カメラは、操作する者によってマウントの上に置かれ、次いで、カメラが前方の停止帯に達した場合に水平面内に固定される位置である前方のアタッチメントの先端まで、レールによって誘導される。後方のアタッチメントの先端は、通常はばねが取り付けられ垂直面内にカメラを固定している。最近使用されている幾つかのカメラ固定機器は、前方で完全には固定されず（カメラはガイドレールの端で完全には係合しない）、または後方で完全には固定されない（固定を確実に行なうことは難しい）。不完全な固定により重大な事故が人間または装置に発生する場合がある。更に、周知の固定機器は、カメラが正しくマウントの適正な位置に置かれている時でも、使用中に固定が解除される場合がある。
【０００４】
【課題を解決するための手段】
本発明は前述の重大な欠点を解決し、敏速で信頼性のある固定を行なうことである。本発明は、極めて簡単に扱うことができて、安定しており、容易な固定を可能にし、さらにその構造が容易であり低価格である。
【０００５】
本発明の目的は特に三脚の上にカメラを固定するように、支持体の上に装置を固定する機器であり、装置に止着された二つのフック部品と係合する二つのアタッチメント部品を含み、該機器の天板に嵌合された二つの押しボタンが装置の重さで押し下げられる時、固定動作が行なわれる。本機器は装置の重さを用いることによりあらゆる周知の方法で、支持体に止着させることができる。二つのアタッチメント部品は、一方が前方にあり他方が後方にあって、ばねが取り付けられており、連結棒で互いに連結されている。二つのアタッチメント部品は装置の前方および後方でフック部品と係合しながら同時にスライドする。前記の押しボタンはばねが取り付けられ、その特別な形状（縦方向の少なくとも二つの異なる直径）により、装置が天板を離れる時アタッチメント部品は「固定解除」の位置に保持される。アタッチメント部品は二つの押しボタンが押し下げられる時、固定位置に動く。
【０００６】
アタッチメント部品は、自身が搭載されているばね仕掛けの剛体機構を手動でスライドすることによって、「固定解除」された、すなわち係合されていない位置へ移動させられる。その結果、装置のフック部品が係合されなくなり、その後、装置が支持体から持ち上げられて引き離され、アタッチメント部品が「固定解除」された位置に剛体機構を保持する位置へ押しボタンが移動可能となる。
【０００７】
本発明による固定用機器は、二つの押しボタンが同時に押し下げられるまで、いかなる装置の固定も行なわれないので、信頼性が高い。この押し下げは装置の重さを用いることにより容易に行なわれる。更に、固定解除の機構は、装置が本発明による機器の天板に置かれている限りは固定解除されることがないように設計されている。
【０００８】
【実施例】
図１から図３に示す本発明による機器の実施態様は、例として三脚の上にカメラを固定することに関している。本発明はあらゆるタイプの支持体の上にあらゆるタイプの装置を固定することに適用できる。
【０００９】
図１に示す実施態様は本発明による機器の幾つかの部品を含む固定用機器の天板１を備えており、他の部品はカメラに止着されている。この天板１には、前方の部分Ａの所で天板１に固く止着され天板１の平面内にカメラのセンタリングと水平位置を定める幾つかの手段２が含まれている。センタリングの手段２は四つの面取りをしたガイドピンであることが好ましく、あらゆる他のセンタリングの手段とすることもできる。天板１の前方部分Ａは、天板１に取り付けられた前方および後方の押しボタン５を押すことにより固定が行なわれる際に、天板１の軸ＸＸ’に沿ってスライド可能である固定用つめ３を有している。固定用つめ３は面取りすなわち丸くされカメラの対応する部分との係合が容易にされ、天板に対しカメラをしっかり固定している。
【００１０】
二つの押しボタン５を同時に押し下げることにより行なわれる固定は、本発明の主な特徴の一つである。これらの二つの押しボタン５により前方および後方の固定機構が働き、後方の固定機構は前方に固定用つめ３と同じタイプの固定用のつめ３’から構成されている。天板１の後方の部分Ｂには、前方の部分Ａと同じタイプの押しボタン５と、固定用つめ３’により係合されるように設計されたカメラの後方部にあるフック部分のセンタリングを行なう側面の停止帯６とが含まれている。前方および後方のアタッチメント部分と連結するため、固定用つめ３と３’はブラケット形状の中間部分７に止着されており、この中間部分７は、ばね９が取り付けられた二つの連結棒８により連結されている。図２および図３に示すように、この機器の固定は押しボタン５を同時に押し下げることにより行なわれる。
【００１１】
これらの押しボタン５は、使用者が天板１にカメラを置く時カメラの重さで押し下げられる。図２ではこれらの押しボタンは幾つかの直径ｄ１，ｄ２，ｄ３（ｄ２は任意）を有する鋲の形を有している。機器が固定解除の状態である時、すなわちカメラが天板１の上にない時、押しボタン５はばね１０の力により、直径がピン５の最小の直径より大きく、直径ｄ２より小さい穴１１を通り天板１から突き出ており、押しボタンは直径ｄ２により天板１に対して止まっている。固定用つめ３と３’が止着されているブラケット７は、ばね９の張力により保持され、それぞれのブラケットは、カメラを係合し固定するために必要とされる固定用つめ３および３’における動程以上の長さであって、幅が押しボタン５の直径ｄ３より小さく他の二つの直径ｄ１およびｄ２よりも大きいスロット１２を有している。押しボタン５が上側の位置にある時、固定用つめは押しボタン５の最大直径ｄ３の部分に対しばね９により押されている。カメラが天板１の上に置かれる時、ガイドピン２およびセンタリング停止帯６により案内され中心に置かれる。押しボタンの小さい直径ｄ１の部分がブラケット７の中のスロット１２と並ぶまで、押しボタン５が、カメラの重さによってばね１０の力に逆らって押される。直径ｄ１はスロット１２の幅より小さく、剛体部分は二つのブラケット７と、固定用つめ３および３’とから成り、連結棒８はカメラの上のフック部分と係合し天板１にカメラを保持する前方部分に向かい（矢印“Ｆ”の方向）スライドする。
【００１２】
押しボタン５は中空であり内部に圧縮ばね１０を嵌合することができる。
【００１３】
図１には二つのフック部品１３と１５を図示しており、天板１と接触してカメラの底面に止着され、それぞれ固定用つめ３と３’により係合されている。カメラ自体は明瞭にするため図示していない。
【００１４】
前方のフック部品１３（センタリングピン２と関連してカメラのセンタリングを行なう）は、適当な形の固定用つめ３が固定位置にスライドする際に固定用つめ３に係合可能な切取り部分（すなわちくぼみ）１４を有している。同様に後方アタッチメント部品に接触したカメラの後方フック部品１５は、センタリング停止帯６と関連してカメラの後方のセンタリングを決め、後方の固定用つめ３’と係合する形を有している。二つの固定用つめをカメラに付いているこれらの部品１３および１５と係合させるため、カメラを天板１に完全に押し付け押しボタン５を押し下げる必要がある。二つの押しボタン５の一方のみの押し下げでは、他の押しボタンが二つのブラケット７と、連結棒８と、固定用つめ３及び３’とを備えた剛体部分全体の固定を妨げる「固定解除」（上側）の位置にあるので、この固定用機器を固定位置にスライド出来ないため、部分的な固定が行なわれるあらゆる可能性が取り除かれる。
【００１５】
従来の技術のようにカメラをスライドさせるのではなくて、カメラを下に置くことによって簡単に固定させることは（カメラのセンタリングと固定はそれぞれガイドピン２およびカメラの重さにより自動的に行なわれる）、カメラに傷を付けたり振動を与えることを防ぐことができるので好ましい。更に、カメラがガイドピン２とセンタリング停止帯６とにより自然に誘導され、カメラの重さにより固定動作が起動して、いったんカメラが天板１に対して十分にセンタリングされて押し付けられれば、この固定動作が完了するので、カメラのセンタリング及び固定は、見なくてもできる。
【００１６】
本発明による機器の他の重要な特徴は、カメラを支持体から取り外すことができる固定解除機構に関している。図３に示すように、（二つの連結棒８の一方とすることができる）三番目の連結棒１６は、二つのブラケット７に連結されている。ノブ１７は三番目の連結棒１６に止着されている。二番目のノブ１８はノブ１７に隣り合って天板１に固く止着されている。カメラを天板から取り外すため、使用者がノブ１７をノブ１８の方向に寄せると、ノブ１８はばね９を押しながら連結棒１６に連結されたブラケット７を後方に動かす。この操作により前方および後方の固定用つめ３および３’はカメラのフック部品１３および１５から引き離される。スロット１２を後方に動かすことにより押しボタン５はスロットから自由になる。カメラを天板１から持ち上げることにより押しボタン５はばね１０を押しながら上方に動き、ブラケット７は固定用つめ３および３’に沿って取り外しの位置に固定される。この機器を取り外すため使用される二つのノブ１７及び１８は適当に選ばれた距離ｄだけ離されており、片手の二本の指で操作でき、カメラを天板１から持ち上げるためのもう一方の手を使う必要がない。
【００１７】
本発明による固定解除機構の利点の一つは、カメラが天板１の上にある限り、押しボタン５は、機器を固定解除状態にする上方には動くことはできず、ばね９により固定用つめ３および３’が係合位置に確実に押し付けられる。取り外し用ノブ１７および１８を動かす操作とカメラを天板１から持ち上げる操作を組み合わせた場合にのみ、この機器を固定解除状態に置くことができる。カメラが支持体の上にある間カメラを取り除く位置に置くことは不可能であり、かなりの安全性を有するという利点となる。更に、カメラが支持体の上に固定されると、衣類、ケーブル等をからませるいかなる出っ張り部分も見られない。
【００１８】
本発明による固定用機器は、特にスタジオの壁または天井に取り付けられた支持体に固定することが必要な携帯型カメラまたは投影機のように、あらゆるタイプの移動または静止している支持体の上に取り付けられるあらゆるタイプの装置に適用できる。
【図面の簡単な説明】
【図１】  固定位置にある本発明の固定用機器の部分図
【図２】  固定および固定解除の状態を制御する一つの押しボタンの断面図
【図３】  固定位置にある機器の前方および後方のアタッチメント部品の間の連結の状態図
【符号の説明】
１  天板
２  センタリングと水平位置を定める幾つかの手段
３  固定用つめ
５  前方および後方の押しボタン
６  停止帯
７  中間部分
８  連結棒
９  ばね
１１  穴
１２  スロット
１３、１５  フック部品
１４  カットアウト（くぼみ）
１６  三番目の連結棒
１７  ノブ
１８  二番目のノブ
【図１】
0003687137.tif 000002
【図２】
0003687137.tif 000003
【図３】
0003687137.tif 000004